(57)【要約】ユーザアプリケーションをよりハードウェアからの独立性を高めて開発効率を向上させることが可能なテレビジョン放送受信装置が提供される。このテレビジョン放送受信装置は、デジタル選局手段と、アナログ選局手段と、デジタル選局手段からの映像信号と前記アナログ選局手段からの映像信号を処理する映像信号処理手段と、グラフィックスＯＳＤ信号を生成するグラフィックスＯＳＤ生成手段と、テキストＯＳＤ信号を生成するテキストＯＳＤ生成手段と、映像信号処理手段の出力とグラフィックスＯＳＤ信号とテキストＯＳＤ信号とを合成するＲＧＢ処理手段とを備える。
2004054248.tif 000002
【特許請求の範囲】
【請求項１】
デジタル放送を受信するデジタル選局手段と、
アナログ放送を受信するアナログ選局手段と、
前記デジタル選局手段からの映像信号及び前記アナログ選局手段からの映像信号を処理する映像信号処理手段と、
グラフィックスＯＳＤ信号を生成するグラフィックスＯＳＤ生成手段と、
テキストＯＳＤ信号を生成するテキストＯＳＤ生成手段と、
前記映像信号処理手段の出力と、前記グラフィックスＯＳＤ信号と、前記テキストＯＳＤ信号とを合成するＲＧＢ処理手段と
を備え、
前記グラフィックスＯＳＤ生成手段は、前記デジタル選局手段に付随し、デジタル放送受信及びユーザアプリケーションモジュールとして独立し、
前記テキストＯＳＤ生成手段は、デジタル放送受信装置のハードウェアに依存の調整用アプリケーションを、前記アナログ選局手段や映像信号処理手段と共に前記デジタル放送受信装置のハードウェアから分離する
テレビジョン放送受信装置。
【請求項２】
製造者制御情報を処理する入力処理手段を更に備え、
前記入力処理手段は前記製造者制御情報に基づいて、前記テキストＯＳＤ生成手段に対して前記アナログ放送の選局に関するユーザアプリケーションとしてのＯＳＤ信号を生成するように制御する
請求項１に記載のテレビジョン放送受信装置。
【請求項３】
前記デジタル放送受信装置及び前記ユーザアプリケーションモジュールの少なくとも何れか一方の動作異常を検知する異常検知手段を更に備え、
前記異常検知手段は、前記動作異常を検知した場合に、前記テキストＯＳＤ生成手段に対して前記動作異常を表示する信号を生成するように制御する
請求項１に記載のテレビジョン放送受信装置。
【発明の詳細な説明】
【技術分野】  本発明は、デジタル放送を受信可能なテレビジョン放送受信装置に関し、更に詳しくは、デジタル放送受信機能を内蔵したテレビジョン放送受信装置に関する。
【背景技術】  従来のテレビジョン放送受信装置の制御装置として、短期間で仕様の異なる複数のテレビジョン放送受信装置を開発するときの開発期間短縮の方法には次のようなものがる。即ち、表示全般や付加機能の制御を司るアプリケーションマイコンと受信機ハードウェアに依存した機能マイコンをテレビジョン放送受信装置の制御装置に備えさせ、アプリケーションマイコンから機能マイコンの管理するハードウェアを見えないようにする。こうして、受信機のハードウェアに依存した不具合の発生を防止したり、開発期間の短縮を行う方法が公知である。この方法は、例えば、特開平１０−１３６２７４号公報に開示されている。
しかしながら、上記従来の制御装置では、機能マイコンは一切の表示手段を持たない。そのため、工場調整や市場調整用等のハードウェアに依存するＯＳＤ表示もアプリケーションマイコンが制御することになり、アプリケーションマイコンにもハードウェアの依存部が存在して独立性が不十分であるという問題を有している。
【発明の開示】
テレビジョン放送受信装置は、
デジタル放送を受信するデジタル選局手段と、
アナログ放送を受信するアナログ選局手段と、
デジタル選局手段からの映像信号及びアナログ選局手段からの映像信号を処理する映像信号処理手段と、
グラフィックスＯＳＤ信号を生成するグラフィックスＯＳＤ生成手段と、
テキストＯＳＤ信号を生成するテキストＯＳＤ生成手段と、
映像信号処理手段の出力と、グラフィックスＯＳＤ信号と、テキストＯＳＤ信号とを合成するＲＧＢ処理手段と
を備え、
グラフィックスＯＳＤ生成手段は、デジタル選局手段に付随し、デジタル放送受信及びユーザアプリケーションモジュールとして独立し、
テキストＯＳＤ生成手段は、デジタル放送受信装置のハードウェアに依存の調整用アプリケーションを、アナログ選局手段や映像信号処理手段と共にデジタル放送受信装置のハードウェアから分離する。
【図面の簡単な説明】  図１は本発明の実施の形態によるテレビジョン放送受信装置の構成を示すブロック図である。
図２は本発明の実施の形態によるテレビジョン放送受信装置の構成を更に具体的に示すブロック図である。
【発明を実施するための最良の形態】  本発明は上記事情に鑑みて創案されたものであって、ユーザアプリケーションをハードウェアからの独立性を更に高めて開発効率を向上させることが可能なテレビジョン放送受信装置を提供することを目的とする。
図１は、本発明の実施の形態によるテレビジョン放送受信装置の構成を示すブロック図である。以下、図１を用いて、テレビジョン放送受信装置の構成を説明する。
アンテナやケーブル等からのテレビジョン放送の高周波信号は、入力端子１８を経由してデジタル選局手段１１に入力される。デジタル選局手段１１は、この高周波信号に対して選局や復調や復号などの処理を施して、映像信号や音声信号などを出力する。一方、アンテナやケーブル等からのアナログ放送の高周波信号は、入力端子１９を経由してアナログ選局手段１２に入力される。アナログ選局手段１２は、この高周波信号に対して選局や復調などの処理を施して、映像信号や音声信号などを出力する。映像信号処理手段１３は、デジタル選局手段１１からの映像信号及びアナログ選局手段１２からの映像信号に対して切り替えや合成や加工などの処理を施して、映像信号を出力する。グラフィックスＯＳＤ生成手段１４はグラフィックスＯＳＤ信号を生成し、出力する。グラフィックスＯＳＤ信号は、グラフィカルな画像を含むオンスクリーンディスプレイの信号である。テキストＯＳＤ生成手段１５はテキストＯＳＤ信号を生成し、出力する。テキストＯＳＤ信号は、主にテキストで構成されたオンスクリーンディスプレイの信号である。ＲＧＢ処理手段１６は、映像信号処理手段１３の出力と、グラフィックスＯＳＤ生成手段１４からのグラフィックスＯＳＤ信号と、テキストＯＳＤ生成手段１５からのテキストＯＳＤ信号とを合成する。ディスプレイ部１７は、ＲＧＢ処理手段１６の出力を受けて、それを表示する。グラフィックスＯＳＤ生成手段１４は、デジタル選局手段１１に付随して動作し、デジタル放送受信及びユーザアプリケーションモジュールとして独立している。一方、テキストＯＳＤ生成手段１５は、テレビジョン放送受信装置のハードに依存する調整用アプリケーションを、アナログ選局手段１２や映像信号処理手段１３と共にデジタル放送受信装置から分離している。
次に、図２を用いて、本発明の実施の形態によるテレビジョン放送受信装置の構成を更に詳細に説明する。図２は、本発明の実施の形態によるテレビジョン放送受信装置の構成を更に具体的に示すブロック図である。
図２において、デジタル選局手段１１、アナログ選局手段１２、映像信号処理手段１３、グラフィックスＯＳＤ生成手段１４、テキストＯＳＤ生成手段１５、ＲＧＢ処理手段１６、ディスプレイ部１７、入力端子１８、入力端子１９は図１の同じ番号の部分と同じである。これらの詳細な説明は省略する。
なお、デジタルチューナ１０１と受信処理兼制御回路１０２がデジタル選局手段１１を構成し、受信処理兼制御回路１０２がグラフィックスＯＳＤ生成手段１４を構成し、アナログチューナ１０３及びＴＶ制御マイコン１０５がアナログ選局手段１２を構成し、映像信号処理回路１０４及びＴＶ制御マイコン１０５が映像信号処理手段１３を構成し、ＲＧＢ処理回路１０６及びＴＶ制御マイコン１０５がＲＧＢ処理手段１６を構成し、ＴＶ制御マイコン１０５がテキストＯＳＤ生成手段１５を構成している。
アンテナやケーブル等からのデジタル放送の高周波信号は入力端子１８を経由してデジタルチューナ１０１に入力される。デジタルチューナ１０１は、デジタル放送の高周波信号を受けて、所定の処理を施して、トランスポートストリーム（以下、ＴＳと略する）を出力する。デジタルチューナ１０１で実行される処理としては、入力された高周波信号から所望の信号を選局すること、選局された信号を復調（チャネルデコード）すること、復調されて得られたデータに対して誤り訂正復号をすること、ＴＳを復元することなどが挙げられる。受信処理兼制御回路１０２は、デジタルチューナ１０１から出力されるＴＳを基にして映像信号を生成したり、デジタルチューナ１０１を制御したり、グラフィックスＯＳＤ（オンスクリーンディスプレイ）信号を生成したりする。一般に、ＴＳがＴＳデコードされて映像ストリームや音声ストリームなどが生成され、映像ストリームや音声ストリームがＡＶデコードされて映像信号や音声信号が生成される。受信処理兼制御回路１０２で生成されるグラフィックスＯＳＤは、図１のグラフィックスＯＳＤ生成手段１４で生成されるグラフィックスＯＳＤのことである。この受信処理兼制御回路１０２は、１チップＬＳＩで構成されることも可能である。
一方、アンテナやケーブル等からのアナログ放送の高周波信号は入力端子１９を経由してアナログチューナ１０３に供給される。アナログチューナ１０３は、入力端子１９に供給されたアナログ放送の高周波信号に所定の処理を施して、映像信号を復元する。このアナログチューナ１０３で実行される処理としては、入力された高周波信号から所望の信号を選局すること、選局された信号に対してＡＭ復調やＦＭ復調をすること、などがある。これらの復調によって復元された映像信号は、後段の映像信号処理回路１０４へ出力される。映像信号処理回路１０４は、アナログチューナ１０３からの映像信号と受信処理兼制御回路１０２からの映像信号を処理し、映像ＲＧＢ信号を出力する。映像信号処理回路１０４で実行される処理としては、入力されている両映像信号の切り替えや合成や画質の諸調整などがある。アナログチューナ１０３からの映像信号は一般にコンポジット映像信号である場合が多く、コンポジット映像信号からＲＧＢ映像信号への変換もこの映像信号処理回路１０４で実行される。ＲＧＢ処理回路１０６は、映像信号処理回路１０４からの映像ＲＧＢ信号と受信処理兼制御回路１０２から出力されるＲＧＢ信号形式のグラフィックスＯＳＤとＴＶ制御マイコン１０５から出力されるＲＧＢ信号形式のテキストＯＳＤとを合成し、ディスプレイ部１７へ出力する。ＲＧＢ処理回路１０６で実行される合成の処理としては、入力されている各信号間での切り替えや、画面の嵌め込みや、スーパーインポーズや、画像の加工などがある。
ＴＶ制御マイコン１０５は、テキストＯＳＤを生成したり、アナログチューナ１０３と映像信号処理回路１０４とＲＧＢ処理回路１０６を制御するＴＶ制御マイコンである。テキストＯＳＤは、図１でのテキストＯＳＤ生成手段１５で生成されるテキストＯＳＤのことである。テキストＯＳＤ信号は、主にテキストで構成されたオンスクリーンディスプレイの信号である。
ここで、上記のように構成されたテレビジョン放送受信装置の動作について説明する。
まず、通常の視聴中の動作について説明する。受信処理兼制御回路１０２は、ＴＳに対してＡＶデコードなどの処理を行うと同時に、リモコン等のユーザ操作の情報も受ける。リモコン等のユーザ操作の情報は、制御情報入力部１０７に入力され、制御情報入力部１０７はその情報に対応する信号を受信処理兼制御回路１０２に入力する。受信処理兼制御回路１０２は入力されたリモコン等のユーザ操作の情報を基にして、ＴＶ制御マイコン１０５に各種の制御動作をマイコン間通信のコマンドによって指示を出す。また、通常視聴中は全てのユーザに見えるＯＳＤ（オンスクリーンディスプレイ）については、まず、受信処理兼制御回路１０２がグラフィカルに表示するために内蔵したグラフィック生成部（図示せず）からグラフィックスＯＳＤのＲＧＢ信号を生成する。そうして、後段のＲＧＢ処理回路１０６がこのグラフィックスＯＳＤを映像信号に重畳したり合成したりする。こうして、グラフィックスＯＳＤが表示される。
ここで、ＴＶ制御マイコン１０５は、受信処理兼制御回路１０２からのコマンド指示を受け、アナログチューナ１０３を制御して選局したり、映像処理回路１０４やＲＧＢ制御回路１０６を制御して映像のユーザ調整を行う。通常視聴中は、テキストＯＳＤは出力されない。即ち、通常視聴中は、テキストＯＳＤはディスプレイ部１７で表示されない。
次に、工場で調整するモードや市場でサービスマンが調整するモード等での動作について説明する。工場で調整するモードや市場でサービスマンが調整するモード等は機種依存性が強く、ハード依存性が強いモードである。これらのモードでのＯＳＤ表示を受信処理兼制御回路１０２に実行させると、そのソフトウェアの機種依存性が高まるので、ユーザアプリケーション仕様にハード関連仕様が付随することになる。その結果、ユーザアプリケーションモジュールとしての展開性が悪くなる。そこで、工場で調整するモードや市場でサービスマンが調整するモードに入る際には、その旨を受信処理兼制御回路１０２からＴＶ制御マイコン１０５にコマンド通信によって指示を送る。その指示によって、ＯＳＤ表示はＴＶ制御マイコン１０５で生成するテキストＯＳＤに切り換えられる。工場で調整するモードや市場でサービスマンが調整するモード等の場合のＯＳＤは、ユーザには見えないものであるためグラフィカルなものである必要はなく、本実施の形態に示されたコストを抑えたキャラクタベースの安価なテキストＯＳＤで構わない。
また、受信処理兼制御回路１０２と制御情報入力部１０７によって入力処理手段２０が構成されている。制御情報入力部１０７はユーザのリモコン操作による制御情報を受け付けて所定の処理を施すことは既に説明した。制御情報入力部１０７は、ユーザのリモコン操作による制御情報を受け付けることに加えて、開発者が扱う制御情報も受け付ける。開発者が扱う制御情報は、一般ユーザが使用するものではなく、一般にはユーザが知り得ない制御情報である。開発者が扱う制御情報は、例えば、リモコンのキーを予め決められている順序で押したり、予め決められているキーを予め決められている時間長や時間インターバルで押すことで入力される。開発者が扱う制御情報は、放送受信装置内の予め決められたスイッチを操作することで入力することも可能である。制御情報入力部１０７は、この様にして入力された開発者が扱う制御情報を基にして、受信処理兼制御回路１０２へ、その情報に対応する信号を供給する。このようにして、開発者が特定のキー入力などを行うことで、アナログ選局に関するユーザアプリケーションとしてのＯＳＤ表示をＴＶ制御マイコン１０５に実行させることができる。
尚、以上の説明では、一般ユーザが使用するものではなく一般にはユーザが知り得ない制御情報として、開発者が扱う制御情報を挙げている。一般ユーザが使用するものではなく一般にはユーザが知り得ない制御情報としては、開発者が扱う制御情報に限らず、既に説明した工場での製造過程や市場でのサービスマンの調整過程で使用される制御情報がある。これら、開発者が扱う制御情報や、工場での製造過程で使用される制御情報や、市場でのサービスマンの調整過程で使用される制御情報を総称して製造者制御情報と呼ぶ。
ところで、既に説明した通り、ＴＶ制御マイコン１０５と受信処理兼制御回路１０２との間は、情報を双方向に送受信できるマイコン間通信によって結ばれている。従って、ＴＶ制御マイコン１０５は受信処理兼制御回路１０２での動作状況やトラブルに関する情報を入手することも可能である。一方、ＴＶ制御マイコン１０５はアナログチューナ１０３や映像信号処理回路１０４やＲＧＢ処理回路１０６とも情報を双方向に送受信できる通信によって結ばれている。従って、ＴＶ制御マイコン１０５はこれら各部での動作状況やトラブルに関する情報を入手することも可能であるし、これら各部の動作仕様を制御することも可能である。このような背景から、ＴＶ制御マイコン１０５を、独立させたデジタル放送受信及びユーザアプリケーションモジュールの動作異常を検知する異常検知手段として構成できる。こうすることで、ユーザアプリケーションモジュールが動作異常に陥った際に、ＴＶ制御マイコン１０５にテキストＯＳＤ表示を行わせることができる。
以上説明したように、本発明のテレビジョン放送受信装置は、デジタル選局手段にグラフィックスＯＳＤ生成手段を付随させて、これらをデジタル放送受信及びユーザアプリケーションモジュールとして独立させることができる。また、テキストＯＳＤ生成手段によって、受信装置依存の調整用アプリケーションをアナログ選局手段や映像信号処理回路と共にテレビジョン放送受信装置内で分離しておくことことができる。こうすることで、機種展開時の開発効率を上げることができる。
また、本発明のテレビジョン放送受信装置は、入力処理手段から開発者が所定のキー入力を行うことなどで、アナログ選局に関するユーザアプリケーションとしてのＯＳＤ表示をテキストＯＳＤ生成手段に実行させることができる。こうすることで、開発中の便宜を図ることもできる。
更に、本発明のテレビジョン放送受信装置は、独立させたデジタル放送受信及びユーザアプリケーションモジュールの動作異常を検知する異常検知手段を備えることができる。こうすることにより、ユーザアプリケーションモジュールが動作異常に陥った場合に、テキストＯＳＤ表示手段にてアナログ選局に関するアプリケーション動作を保証することもできる。
【産業上の利用可能性】  本発明によるテレビジョン放送受信装置は、開発中の便宜を図ることができ、機種展開時の開発効率を上げることができる。また、本発明によるテレビジョン放送受信装置は、ユーザアプリケーションモジュールが動作異常に陥った場合であっても、アプリケーション動作を保証することもできる。
【符号の説明】
１１    デジタル選局手段
１２    アナログ選局手段
１３    映像信号処理手段
１４    グラフィックスＯＳＤ生成手段
１５    テキストＯＳＤ生成手段
１６    ＲＧＢ処理手段
２０    入力処理手段
１０１    デジタルチューナ
１０２    受信処理兼制御回路
１０３    アナログチューナ
１０４    映像信号処理回路
１０５    ＴＶ制御マイコン
１０６    ＲＧＢ処理回路
１０７    制御情報入力部
【図１】
2004054248.tif 000003
【図２】
2004054248.tif 000004
【手続補正書】
【提出日】平成16年4月9日(2004.4.9)
【手続補正１】
【補正対象書類名】特許請求の範囲
【補正対象項目名】全文
【補正方法】変更
【補正の内容】
【特許請求の範囲】
【請求項１】
デジタル放送を受信するデジタル選局手段と、
アナログ放送を受信するアナログ選局手段と、
前記デジタル選局手段からの映像信号及び前記アナログ選局手段からの映像信号を処理する映像信号処理手段と、
グラフィックスＯＳＤ信号を生成するグラフィックスＯＳＤ生成手段と、
テキストＯＳＤ信号を生成するテキストＯＳＤ生成手段と、
前記映像信号処理手段の出力と、前記グラフィックスＯＳＤ信号と、前記テキストＯＳＤ信号とを合成するＲＧＢ処理手段と
を備え、
前記グラフィックスＯＳＤ生成手段は、前記デジタル選局手段に付随し、デジタル放送受信及びユーザアプリケーションモジュールとして独立し、
前記テキストＯＳＤ生成手段は、デジタル放送受信装置のハードウェアに依存の調整用アプリケーションを、前記アナログ選局手段や映像信号処理手段と共に前記デジタル放送受信装置のハードウェアから分離する
テレビジョン放送受信装置。
【請求項２】
製造者制御情報を処理する入力処理手段を更に備え、
前記入力処理手段は前記製造者制御情報に基づいて、前記テキストＯＳＤ生成手段に対して前記アナログ放送の選局に関するユーザアプリケーションとしてのＯＳＤ信号を生成するように制御する
請求項１に記載のテレビジョン放送受信装置。
【請求項３】
前記デジタル放送受信装置及び前記ユーザアプリケーションモジュールの少なくとも何れか一方の動作異常を検知する異常検知手段を更に備え、
前記異常検知手段は、前記動作異常を検知した場合に、前記テキストＯＳＤ生成手段に対して前記動作異常を表示する信号を生成するように制御する
請求項１に記載のテレビジョン放送受信装置。
【手続補正２】
【補正対象書類名】明細書
【補正対象項目名】全文
【補正方法】変更
【補正の内容】
【発明の詳細な説明】
【技術分野】
【０００１】
本発明は、デジタル放送を受信可能なテレビジョン放送受信装置に関し、更に詳しくは、デジタル放送受信機能を内蔵したテレビジョン放送受信装置に関する。
【背景技術】
【０００２】
従来のテレビジョン放送受信装置の制御装置として、短期間で仕様の異なる複数のテレビジョン放送受信装置を開発するときの開発期間短縮の方法には次のようなものがる。即ち、表示全般や付加機能の制御を司るアプリケーションマイコンと受信機ハードウェアに依存した機能マイコンをテレビジョン放送受信装置の制御装置に備えさせ、アプリケーションマイコンから機能マイコンの管理するハードウェアを見えないようにする。こうして、受信機のハードウェアに依存した不具合の発生を防止したり、開発期間の短縮を行う方法が公知である。この方法は、例えば、特開平１０−１３６２７４号公報に開示されている。
【発明の開示】
【発明が解決しようとする課題】
【０００３】
しかしながら、上記従来の制御装置では、機能マイコンは一切の表示手段を持たない。そのため、工場調整や市場調整用等のハードウェアに依存するＯＳＤ表示もアプリケーションマイコンが制御することになり、アプリケーションマイコンにもハードウェアの依存部が存在して独立性が不十分であるという問題を有している。
【課題を解決するための手段】
【０００４】
テレビジョン放送受信装置は、デジタル放送を受信するデジタル選局手段と、アナログ放送を受信するアナログ選局手段と、デジタル選局手段からの映像信号及びアナログ選局手段からの映像信号を処理する映像信号処理手段と、グラフィックスＯＳＤ信号を生成するグラフィックスＯＳＤ生成手段と、テキストＯＳＤ信号を生成するテキストＯＳＤ生成手段と、映像信号処理手段の出力と、グラフィックスＯＳＤ信号と、テキストＯＳＤ信号とを合成するＲＧＢ処理手段とを備え、グラフィックスＯＳＤ生成手段は、デジタル選局手段に付随し、デジタル放送受信及びユーザアプリケーションモジュールとして独立し、テキストＯＳＤ生成手段は、デジタル放送受信装置のハードウェアに依存の調整用アプリケーションを、アナログ選局手段や映像信号処理手段と共にデジタル放送受信装置のハードウェアから分離する。
【発明の効果】
【０００５】
本発明によるテレビジョン放送受信装置は、開発中の便宜を図ることができ、機種展開時の開発効率を上げることができる。また、本発明によるテレビジョン放送受信装置は、ユーザアプリケーションモジュールが動作異常に陥った場合であっても、アプリケーション動作を保証することもできる。
【発明を実施するための最良の形態】
【０００６】
本発明は上記事情に鑑みて創案されたものであって、ユーザアプリケーションをハードウェアからの独立性を更に高めて開発効率を向上させることが可能なテレビジョン放送受信装置を提供することを目的とする。
【０００７】
図１は、本発明の実施の形態によるテレビジョン放送受信装置の構成を示すブロック図である。以下、図１を用いて、テレビジョン放送受信装置の構成を説明する。
【０００８】
アンテナやケーブル等からのテレビジョン放送の高周波信号は、入力端子１８を経由してデジタル選局手段１１に入力される。デジタル選局手段１１は、この高周波信号に対して選局や復調や復号などの処理を施して、映像信号や音声信号などを出力する。一方、アンテナやケーブル等からのアナログ放送の高周波信号は、入力端子１９を経由してアナログ選局手段１２に入力される。アナログ選局手段１２は、この高周波信号に対して選局や復調などの処理を施して、映像信号や音声信号などを出力する。映像信号処理手段１３は、デジタル選局手段１１からの映像信号及びアナログ選局手段１２からの映像信号に対して切り替えや合成や加工などの処理を施して、映像信号を出力する。グラフィックスＯＳＤ生成手段１４はグラフィックスＯＳＤ信号を生成し、出力する。グラフィックスＯＳＤ信号は、グラフィカルな画像を含むオンスクリーンディスプレイの信号である。テキストＯＳＤ生成手段１５はテキストＯＳＤ信号を生成し、出力する。テキストＯＳＤ信号は、主にテキストで構成されたオンスクリーンディスプレイの信号である。ＲＧＢ処理手段１６は、映像信号処理手段１３の出力と、グラフィックスＯＳＤ生成手段１４からのグラフィックスＯＳＤ信号と、テキストＯＳＤ生成手段１５からのテキストＯＳＤ信号とを合成する。ディスプレイ部１７は、ＲＧＢ処理手段１６の出力を受けて、それを表示する。グラフィックスＯＳＤ生成手段１４は、デジタル選局手段１１に付随して動作し、デジタル放送受信及びユーザアプリケーションモジュールとして独立している。一方、テキストＯＳＤ生成手段１５は、テレビジョン放送受信装置のハードに依存する調整用アプリケーションを、アナログ選局手段１２や映像信号処理手段１３と共にデジタル放送受信装置から分離している。
【０００９】
次に、図２を用いて、本発明の実施の形態によるテレビジョン放送受信装置の構成を更に詳細に説明する。図２は、本発明の実施の形態によるテレビジョン放送受信装置の構成を更に具体的に示すブロック図である。
【００１０】
図２において、デジタル選局手段１１、アナログ選局手段１２、映像信号処理手段１３、グラフィックスＯＳＤ生成手段１４、テキストＯＳＤ生成手段１５、ＲＧＢ処理手段１６、ディスプレイ部１７、入力端子１８、入力端子１９は図１の同じ番号の部分と同じである。これらの詳細な説明は省略する。
【００１１】
なお、デジタルチューナ１０１と受信処理兼制御回路１０２がデジタル選局手段１１を構成し、受信処理兼制御回路１０２がグラフィックスＯＳＤ生成手段１４を構成し、アナログチューナ１０３及びＴＶ制御マイコン１０５がアナログ選局手段１２を構成し、映像信号処理回路１０４及びＴＶ制御マイコン１０５が映像信号処理手段１３を構成し、ＲＧＢ処理回路１０６及びＴＶ制御マイコン１０５がＲＧＢ処理手段１６を構成し、ＴＶ制御マイコン１０５がテキストＯＳＤ生成手段１５を構成している。
【００１２】
アンテナやケーブル等からのデジタル放送の高周波信号は入力端子１８を経由してデジタルチューナ１０１に入力される。デジタルチューナ１０１は、デジタル放送の高周波信号を受けて、所定の処理を施して、トランスポートストリーム（以下、ＴＳと略する）を出力する。デジタルチューナ１０１で実行される処理としては、入力された高周波信号から所望の信号を選局すること、選局された信号を復調（チャネルデコード）すること、復調されて得られたデータに対して誤り訂正復号をすること、ＴＳを復元することなどが挙げられる。受信処理兼制御回路１０２は、デジタルチューナ１０１から出力されるＴＳを基にして映像信号を生成したり、デジタルチューナ１０１を制御したり、グラフィックスＯＳＤ（オンスクリーンディスプレイ）信号を生成したりする。一般に、ＴＳがＴＳデコードされて映像ストリームや音声ストリームなどが生成され、映像ストリームや音声ストリームがＡＶデコードされて映像信号や音声信号が生成される。受信処理兼制御回路１０２で生成されるグラフィックスＯＳＤは、図１のグラフィックスＯＳＤ生成手段１４で生成されるグラフィックスＯＳＤのことである。この受信処理兼制御回路１０２は、１チップＬＳＩで構成されることも可能である。
【００１３】
一方、アンテナやケーブル等からのアナログ放送の高周波信号は入力端子１９を経由してアナログチューナ１０３に供給される。アナログチューナ１０３は、入力端子１９に供給されたアナログ放送の高周波信号に所定の処理を施して、映像信号を復元する。このアナログチューナ１０３で実行される処理としては、入力された高周波信号から所望の信号を選局すること、選局された信号に対してＡＭ復調やＦＭ復調をすること、などがある。これらの復調によって復元された映像信号は、後段の映像信号処理回路１０４へ出力される。映像信号処理回路１０４は、アナログチューナ１０３からの映像信号と受信処理兼制御回路１０２からの映像信号を処理し、映像ＲＧＢ信号を出力する。映像信号処理回路１０４で実行される処理としては、入力されている両映像信号の切り替えや合成や画質の諸調整などがある。アナログチューナ１０３からの映像信号は一般にコンポジット映像信号である場合が多く、コンポジット映像信号からＲＧＢ映像信号への変換もこの映像信号処理回路１０４で実行される。ＲＧＢ処理回路１０６は、映像信号処理回路１０４からの映像ＲＧＢ信号と受信処理兼制御回路１０２から出力されるＲＧＢ信号形式のグラフィックスＯＳＤとＴＶ制御マイコン１０５から出力されるＲＧＢ信号形式のテキストＯＳＤとを合成し、ディスプレイ部１７へ出力する。ＲＧＢ処理回路１０６で実行される合成の処理としては、入力されている各信号間での切り替えや、画面の嵌め込みや、スーパーインポーズや、画像の加工などがある。
【００１４】
ＴＶ制御マイコン１０５は、テキストＯＳＤを生成したり、アナログチューナ１０３と映像信号処理回路１０４とＲＧＢ処理回路１０６を制御するＴＶ制御マイコンである。テキストＯＳＤは、図１でのテキストＯＳＤ生成手段１５で生成されるテキストＯＳＤのことである。テキストＯＳＤ信号は、主にテキストで構成されたオンスクリーンディスプレイの信号である。
【００１５】
ここで、上記のように構成されたテレビジョン放送受信装置の動作について説明する。
【００１６】
まず、通常の視聴中の動作について説明する。受信処理兼制御回路１０２は、ＴＳに対してＡＶデコードなどの処理を行うと同時に、リモコン等のユーザ操作の情報も受ける。リモコン等のユーザ操作の情報は、制御情報入力部１０７に入力され、制御情報入力部１０７はその情報に対応する信号を受信処理兼制御回路１０２に入力する。受信処理兼制御回路１０２は入力されたリモコン等のユーザ操作の情報を基にして、ＴＶ制御マイコン１０５に各種の制御動作をマイコン間通信のコマンドによって指示を出す。また、通常視聴中は全てのユーザに見えるＯＳＤ（オンスクリーンディスプレイ）については、まず、受信処理兼制御回路１０２がグラフィカルに表示するために内蔵したグラフィック生成部（図示せず）からグラフィックスＯＳＤのＲＧＢ信号を生成する。そうして、後段のＲＧＢ処理回路１０６がこのグラフィックスＯＳＤを映像信号に重畳したり合成したりする。こうして、グラフィックスＯＳＤが表示される。
【００１７】
ここで、ＴＶ制御マイコン１０５は、受信処理兼制御回路１０２からのコマンド指示を受け、アナログチューナ１０３を制御して選局したり、映像処理回路１０４やＲＧＢ制御回路１０６を制御して映像のユーザ調整を行う。通常視聴中は、テキストＯＳＤは出力されない。即ち、通常視聴中は、テキストＯＳＤはディスプレイ部１７で表示されない。
【００１８】
次に、工場で調整するモードや市場でサービスマンが調整するモード等での動作について説明する。工場で調整するモードや市場でサービスマンが調整するモード等は機種依存性が強く、ハード依存性が強いモードである。これらのモードでのＯＳＤ表示を受信処理兼制御回路１０２に実行させると、そのソフトウェアの機種依存性が高まるので、ユーザアプリケーション仕様にハード関連仕様が付随することになる。その結果、ユーザアプリケーションモジュールとしての展開性が悪くなる。そこで、工場で調整するモードや市場でサービスマンが調整するモードに入る際には、その旨を受信処理兼制御回路１０２からＴＶ制御マイコン１０５にコマンド通信によって指示を送る。その指示によって、ＯＳＤ表示はＴＶ制御マイコン１０５で生成するテキストＯＳＤに切り換えられる。工場で調整するモードや市場でサービスマンが調整するモード等の場合のＯＳＤは、ユーザには見えないものであるためグラフィカルなものである必要はなく、本実施の形態に示されたコストを抑えたキャラクタベースの安価なテキストＯＳＤで構わない。
【００１９】
また、受信処理兼制御回路１０２と制御情報入力部１０７によって入力処理手段２０が構成されている。制御情報入力部１０７はユーザのリモコン操作による制御情報を受け付けて所定の処理を施すことは既に説明した。制御情報入力部１０７は、ユーザのリモコン操作による制御情報を受け付けることに加えて、開発者が扱う制御情報も受け付ける。開発者が扱う制御情報は、一般ユーザが使用するものではなく、一般にはユーザが知り得ない制御情報である。開発者が扱う制御情報は、例えば、リモコンのキーを予め決められている順序で押したり、予め決められているキーを予め決められている時間長や時間インターバルで押すことで入力される。開発者が扱う制御情報は、放送受信装置内の予め決められたスイッチを操作することで入力することも可能である。制御情報入力部１０７は、この様にして入力された開発者が扱う制御情報を基にして、受信処理兼制御回路１０２へ、その情報に対応する信号を供給する。このようにして、開発者が特定のキー入力などを行うことで、アナログ選局に関するユーザアプリケーションとしてのＯＳＤ表示をＴＶ制御マイコン１０５に実行させることができる。
【００２０】
尚、以上の説明では、一般ユーザが使用するものではなく一般にはユーザが知り得ない制御情報として、開発者が扱う制御情報を挙げている。一般ユーザが使用するものではなく一般にはユーザが知り得ない制御情報としては、開発者が扱う制御情報に限らず、既に説明した工場での製造過程や市場でのサービスマンの調整過程で使用される制御情報がある。これら、開発者が扱う制御情報や、工場での製造過程で使用される制御情報や、市場でのサービスマンの調整過程で使用される制御情報を総称して製造者制御情報と呼ぶ。
【００２１】
ところで、既に説明した通り、ＴＶ制御マイコン１０５と受信処理兼制御回路１０２との間は、情報を双方向に送受信できるマイコン間通信によって結ばれている。従って、ＴＶ制御マイコン１０５は受信処理兼制御回路１０２での動作状況やトラブルに関する情報を入手することも可能である。一方、ＴＶ制御マイコン１０５はアナログチューナ１０３や映像信号処理回路１０４やＲＧＢ処理回路１０６とも情報を双方向に送受信できる通信によって結ばれている。従って、ＴＶ制御マイコン１０５はこれら各部での動作状況やトラブルに関する情報を入手することも可能であるし、これら各部の動作仕様を制御することも可能である。このような背景から、ＴＶ制御マイコン１０５を、独立させたデジタル放送受信及びユーザアプリケーションモジュールの動作異常を検知する異常検知手段として構成できる。こうすることで、ユーザアプリケーションモジュールが動作異常に陥った際に、ＴＶ制御マイコン１０５にテキストＯＳＤ表示を行わせることができる。
【００２２】
以上説明したように、本発明のテレビジョン放送受信装置は、デジタル選局手段にグラフィックスＯＳＤ生成手段を付随させて、これらをデジタル放送受信及びユーザアプリケーションモジュールとして独立させることができる。また、テキストＯＳＤ生成手段によって、受信装置依存の調整用アプリケーションをアナログ選局手段や映像信号処理回路と共にテレビジョン放送受信装置内で分離しておくことことができる。こうすることで、機種展開時の開発効率を上げることができる。
【００２３】
また、本発明のテレビジョン放送受信装置は、入力処理手段から開発者が所定のキー入力を行うことなどで、アナログ選局に関するユーザアプリケーションとしてのＯＳＤ表示をテキストＯＳＤ生成手段に実行させることができる。こうすることで、開発中の便宜を図ることもできる。
【００２４】
更に、本発明のテレビジョン放送受信装置は、独立させたデジタル放送受信及びユーザアプリケーションモジュールの動作異常を検知する異常検知手段を備えることができる。こうすることにより、ユーザアプリケーションモジュールが動作異常に陥った場合に、テキストＯＳＤ表示手段にてアナログ選局に関するアプリケーション動作を保証することもできる。
【産業上の利用可能性】
【００２５】
本発明によるテレビジョン放送受信装置は、開発中の便宜を図ることができ、機種展開時の開発効率を上げることができる。また、本発明によるテレビジョン放送受信装置は、ユーザアプリケーションモジュールが動作異常に陥った場合であっても、アプリケーション動作を保証することもできる。
【図面の簡単な説明】
【００２６】
【図１】本発明の実施の形態によるテレビジョン放送受信装置の構成を示すブロック図
【図２】本発明の実施の形態によるテレビジョン放送受信装置の構成を更に具体的に示すブロック図
【符号の説明】
【００２７】
１１  デジタル選局手段
１２  アナログ選局手段
１３  映像信号処理手段
１４  グラフィックスＯＳＤ生成手段
１５  テキストＯＳＤ生成手段
１６  ＲＧＢ処理手段
２０  入力処理手段
１０１  デジタルチューナ
１０２  受信処理兼制御回路
１０３  アナログチューナ
１０４  映像信号処理回路
１０５  ＴＶ制御マイコン
１０６  ＲＧＢ処理回路
１０７  制御情報入力部
【手続補正３】
【補正対象書類名】図面
【補正対象項目名】全図
【補正方法】変更
【補正の内容】
【図１】
2004054248.tif 000005
【図２】
2004054248.tif 000006
【国際調査報告】
2004054248.tif 000007
2004054248.tif 000008
2004054248.tif 000009
2004054248.tif 000010